(57)【要約】【課題】車両の貸し出しスケジュールと駐車場の貸し出しスケジュールとを一元的に低コストで管理することのできる管理システムを提案する。【解決手段】管理システム１０は、車両７０及び駐車場８０の使用権限を有する使用者９１の行動予定を示すスケジュール情報２２から、使用者９１が車両８０を使用することが予定される日時及び車両８０を使用しないことが予定される日時を特定する特定手段１２と、使用者９１が車両８０を使用することが予定される日時を示す情報を、駐車場７０の利用が可能な空き時間を示す情報として、駐車場管理システム３０に通知する第１の通知手段１４と、使用者９１が車両８０を使用しないことが予定される日時を示す情報を、車両８０の利用が可能な空き時間を示す情報として、車両管理システム４０に通知する第２の通知手段１５とを備える。【選択図】図１
2019101973.tif 000002
【特許請求の範囲】
【請求項１】
車両及び前記車両を駐車するための駐車場を共に使用する権限を有する使用者の行動予定を示すスケジュール情報を取得する取得手段と、
前記使用者が前記車両を使用することが予定される日時及び前記車両を使用しないことが予定される日時を前記スケジュール情報から特定する特定手段と、
前記使用者が前記車両を使用することが予定される日時を示す情報を、前記駐車場の利用が可能な空き時間を示す情報として、前記駐車場の利用を希望するユーザに対しての前記駐車場の貸し出しを管理する駐車場管理システムに通知する第１の通知手段と、
前記使用者が前記車両を使用しないことが予定される日時を示す情報を、前記車両の利用が可能な空き時間を示す情報として、前記車両の利用を希望するユーザに対しての前記車両の貸し出しを管理する車両管理システムに通知する第２の通知手段と、
を備える管理システム。
【請求項２】
請求項１に記載の管理システムであって、
前記スケジュール情報が、前記使用者が前記車両を使用することが予定される日時を特定するのに十分でないときに、前記使用者の過去の行動履歴を基に、前記使用者が前記車両を使用することが予定される日時を推定し、前記推定が正しいか否かを前記使用者に確認する確認手段を更に備える、管理システム。
【請求項３】
請求項１に記載の管理システムであって、
前記スケジュール情報が、前記使用者が前記車両を使用しないことが予定される日時を特定するのに十分でないときに、前記使用者の過去の行動履歴を基に、前記使用者が前記車両を使用しないことが予定される日時を推定し、前記推定が正しいか否かを前記使用者に確認する確認手段を更に備える、管理システム。
【請求項４】
請求項２に記載の管理システムであって、
前記確認手段は、前記使用者が過去に前記車両を使用して外出した行先を示す目的地と同一の目的地が前記スケジュール情報に登録されている場合に、前記目的地に外出する日時に前記車両を使用するものと推定する、管理システム。
【請求項５】
請求項３に記載の管理システムであって、
前記確認手段は、前記使用者が過去に前記車両以外の交通手段を使用して外出した行先を示す目的地と同一の目的地が前記スケジュール情報に登録されている場合に、前記目的地に外出する日時に前記車両以外の交通手段を使用するものと推定する、管理システム。
【請求項６】
請求項１に記載の管理システムであって、
前記スケジュール情報に外出の日時が登録されているが、交通手段が登録されていないときに、交通手段を前記使用者に確認する確認手段を更に備える、管理システム。
【請求項７】
コンピュータシステムが、
車両及び前記車両を駐車するための駐車場を共に使用する権限を有する使用者の行動予定を示すスケジュール情報を取得するステップと、
前記使用者が前記車両を使用することが予定される日時及び前記車両を使用しないことが予定される日時を前記スケジュール情報から推定するステップと、
前記使用者が前記車両を使用することが予定される日時を示す情報を、前記駐車場の利用が可能な空き時間を示す情報として、前記駐車場の利用を希望するユーザに対しての前記駐車場の貸し出しを管理する駐車場管理システムに通知するステップと、
前記使用者が前記車両を使用しないことが予定される日時を示す情報を、前記車両の利用が可能な空き時間を示す情報として、前記車両の利用を希望するユーザに対しての前記車両の貸し出しを管理する車両管理システムに通知するステップと、
を実行する管理方法。
【請求項８】
コンピュータシステムに、
車両及び前記車両を駐車するための駐車場を共に使用する権限を有する使用者の行動予定を示すスケジュール情報を取得するステップと、
前記使用者が前記車両を使用することが予定される日時及び前記車両を使用しないことが予定される日時を前記スケジュール情報から推定するステップと、
前記使用者が前記車両を使用することが予定される日時を示す情報を、前記駐車場の利用が可能な空き時間を示す情報として、前記駐車場の利用を希望するユーザに対しての前記駐車場の貸し出しを管理する駐車場管理システムに通知するステップと、
前記使用者が前記車両を使用しないことが予定される日時を示す情報を、前記車両の利用が可能な空き時間を示す情報として、前記車両の利用を希望するユーザに対しての前記車両の貸し出しを管理する車両管理システムに通知するステップと、
を実行させる管理プログラム。
【発明の詳細な説明】
【技術分野】
【０００１】
本発明は、管理システム、管理方法、及び管理プログラムに関わる。
【背景技術】
【０００２】
カーシェアリングでは、ある地域に限定したコミュニティーの中で、会員同士が車両を共有し、インターネットなどを通じて車両の利用状況の確認や利用予約を行うことができ、貸し出し及び返却の場所は、居住地の近辺の駐車場であったり、或いは駅の近くであったりと、会員が利用するにあたって便利な場所に選定されていることが多い。このようなカーシェアリングにより、利用者は、車両を所有する場合に比べて、車両の購入費用、維持経費、及び駐車料金などの費用を削減することができる。このような事情を背景に、車両を共有するカーシェアリングのみならず、駐車場を共有する駐車場シェアリングも普及しつつあり、この種の駐車場の予約を管理するシステムとして、例えば、特開２０１２−２１５９２３号公報に記載の駐車場予約システムが知られている。
【先行技術文献】
【特許文献】
【０００３】
【特許文献１】特開２０１２−２１５９２３号公報
【発明の概要】
【発明が解決しようとする課題】
【０００４】
ところで、車両が使用されているときは、その車両を駐車するための駐車場は空いているため、その空き時間を利用して、駐車場を希望者に貸し出すことにより、車両維持に関わるコストの回収を見込むことができる。
【０００５】
しかし、車両の貸し出しスケジュールを管理するための既存のカーシェアリングシステムと、駐車場の貸し出しスケジュールを管理するための既存の駐車場シェアリングシステムとは、互いに連動せずに、それぞれ独立して、貸し出しスケジュールを管理している。このため、車両及び駐車場の所有者は、カーシェアリングシステム及び駐車場シェアリングシステムのそれぞれに利用可能な空き時間を登録しなければならず、手続きが煩雑化していた。また、既存のカーシェアリングシステムと既存の駐車場シェアリングシステムとは別に、車両の貸し出しスケジュールと駐車場の貸し出しスケジュールとを一元的に管理するためのシステムを新たに設計及び開発するには、多大なコストと時間を要する上に、独自のシステムでは、汎用性に乏しく、開発投資を回収できないリスクがある。
【０００６】
そこで、本発明は、このような問題を解決し、車両の貸し出しスケジュールと駐車場の貸し出しスケジュールとを一元的に低コストで管理することのできる管理システムを提案することを課題とする。
【課題を解決するための手段】
【０００７】
上述の課題を解決するため、本発明に関わる管理システムは、車両及び車両を駐車するための駐車場を共に使用する権限を有する使用者の行動予定を示すスケジュール情報を取得する取得手段と、使用者が車両を使用することが予定される日時及び車両を使用しないことが予定される日時をスケジュール情報から特定する特定手段と、使用者が車両を使用することが予定される日時を示す情報を、駐車場の利用が可能な空き時間を示す情報として、駐車場の利用を希望するユーザに対しての駐車場の貸し出しを管理する駐車場管理システムに通知する第１の通知手段と、使用者が車両を使用しないことが予定される日時を示す情報を、車両の利用が可能な空き時間を示す情報として、車両の利用を希望するユーザに対しての車両の貸し出しを管理する車両管理システムに通知する第２の通知手段とを備える。
【発明の効果】
【０００８】
本発明に関わる管理システムによれば、車両の貸し出しスケジュールと駐車場の貸し出しスケジュールとを一元的に低コストで管理することができる。
【図面の簡単な説明】
【０００９】
【図１】本発明の実施形態に関わる管理システムの機能ブロックを示す説明図である。
【発明を実施するための形態】
【００１０】
以下、図面を参照しながら本発明の実施形態について説明する。ここで、同一符号は同一の構成要素を示すものとし、重複する説明は省略する。
図１は本発明の実施形態に関わる管理システム１０の機能ブロックを示す説明図である。使用者９１は、車両８０及び駐車場７０を共に使用する権限を有しており、駐車場７０は、車両８０を駐車するためのものである。使用者９１は、必ずしも、駐車場７０及び車両８０の所有権を有する所有者に限定されるものではなく、駐車場７０及び車両８０の使用権限を有していればよい。
【００１１】
管理システム１０は、駐車場７０の貸し出しと車両８０の貸し出しとを一元的に管理するための管理方法を実行するコンピュータシステムである。管理システム１０は、ハードウェア資源として、プロセッサ、記憶装置、及び通信モジュールを備えており、記憶装置には、管理方法を実行するための管理プログラムが格納されている。プロセッサが管理プログラムを解釈及び実行することにより、各種の手段（取得手段１１、特定手段１２、確認手段１３、第１の通知手段１４、及び第２の通知手段１５）としての機能が実現される。これらの各種の手段は、管理システム１０のハードウェア資源と管理プログラムとの協働により実現される機能であり、その機能の詳細については後述する。管理プログラムは、例えば、メインプログラムの中で呼び出されて実行される複数のソフトウェアモジュールを備えてもよい。このようなソフトウェアモジュールは、それぞれ、上述の各種の手段の機能を実現する処理を実行するためにモジュール化されたサブプログラムである。上述の各種の手段の機能と同様の機能を、専用のハードウェア資源（例えば、特定用途向け集積回路）やファームウェアを用いて実現してもよい。なお、管理プログラムを格納する記憶装置は、例えば、半導体メモリ又はディスク媒体などのコンピュータ読み取り可能な記録媒体である。
【００１２】
情報端末２０は、使用者９１の行動予定を示すスケジュール情報２２を管理するスケジューラ２１を備えている。スケジューラ２１は、使用者９１による情報端末２０の操作を通じて、スケジュール情報２２の入力、変更、又は削除などの管理を行うアプリケーションプログラム（例えば、カレンダー・スケジュール管理アプリケーションプログラム）である。使用者９１が情報端末２０にスケジュール情報２２を入力する方法は、情報端末２２へのキー入力操作でもよく、或いは音声認識を用いた音声入力でもよい。音声入力では、情報端末２０と使用者９１との間の対話を通じて、スケジュール情報２２が情報端末２０に入力される。スケジュール情報２２は、例えば、外出予定日時、外出先、及び交通手段などの情報を含み、交通手段の情報は、例えば、車両８０を使用するのか否かを示す情報を含む（車両８０を使用しない場合には、交通手段の情報は、公共交通機関を利用するのか或いは徒歩を利用するのかを示す情報を含んでもよい）。情報端末２０は、例えば、スマートフォンと呼ばれる多機能携帯電話やタブレット端末などの移動通信機能を備える移動通信端末でもよく、或いは、通信機能を有するパーソナルコンピュータでもよい。
【００１３】
取得手段１１は、通信回線を通じて、情報端末２０に接続し、スケジューラ２１からスケジュール情報２２を取得する。特定手段１２は、使用者９１が車両８０を使用することが予定される日時及び車両８０を使用しないことが予定される日時をスケジュール情報２２から特定する。例えば、１２月１日の１３時〜１４時の時間帯に、車両８０を使用して外出することがスケジュール情報２２に登録されている場合には、特定手段１２は、その登録された日時（１２月１日の１３時〜１４時の時間帯）が、使用者９１が車両８０を使用することが予定される日時であるものと特定する。また、例えば、１２月２日の１６時〜２０時の時間帯に、公共交通機関（車両８０以外の交通手段）を利用して外出することがスケジュール情報２２に登録されている場合には、特定手段１２は、その登録された日時（１２月２日の１６時〜２０時の時間帯）が、使用者９１が車両８０を使用しないことが予定される日時であるものと特定する。
【００１４】
確認手段１３は、スケジュール情報２２が、使用者９１が車両８０を使用することが予定される日時を特定するのに十分でないときに、使用者９１の過去の行動履歴を基に使用者９１が車両８０を使用することが予定される日時を推定し、この推定が正しいか否かを使用者９１に確認してもよい。使用者９１の過去の行動履歴は、過去のスケジュール情報２２から読み取ることができる。確認手段１３は、例えば、使用者９１が過去に車両８０を使用して外出した行先を示す目的地と同一の目的地がスケジュール情報２２に登録されている場合に、その目的地に外出する日時に車両８０を使用するものと推定してもよい。確認手段１３は、例えば、外出予定の日時における予想天気が雨天である場合に、外出予定の日時に車両８０を使用するものと推定してもよい。確認手段１３は、例えば、外出予定の目的地が、使用者９１の住所から中距離範囲内（例えば、３〜５０キロメートルの範囲内）にある場合に、外出予定の日時に車両８０を使用するものと推定してもよい。
【００１５】
確認手段１３は、スケジュール情報２２が、使用者９１が車両８０を使用しないことが予定される日時を特定するのに十分でないときに、使用者９１の過去の行動履歴を基に、使用者９１が車両８０を使用しないことが予定される日時を推定し、この推定が正しいか否かを使用者９１に確認してもよい。確認手段１３は、例えば、使用者９１が過去に車両８０以外の交通手段を使用して外出した行先を示す目的地と同一の目的地がスケジュール情報２２に登録されている場合に、その目的地に外出する日時に車両８０以外の交通手段を使用するものと推定してもよい。確認手段１３は、例えば、外出予定の日時における予想天気が晴天である場合に、外出予定の目的地に車両８０以外の交通手段（例えば、徒歩）を使用するものと推定してもよい。確認手段１３は、例えば、外出予定の目的地が、使用者９１の住所から近距離範囲内（例えば、３キロメートル未満の範囲）にある場合に、外出予定の日時に車両８０以外の交通手段（例えば、徒歩）を使用するものと推定してもよい。確認手段１３は、例えば、外出予定の目的地が、使用者９１の住所から遠距離範囲内（例えば、５０キロメートル以上の範囲）にあるときに、外出予定の日時に車両８０以外の交通手段（例えば、電車又は飛行機などの公共交通機関）を使用するものと推定してもよい。
【００１６】
確認手段１３は、上述の推定が正しいか否かを確認するために、例えば、推定が正しいか否かの問い合わせに対する回答を登録するためのウェブページへのリンクが付されている電子メールを使用者９１に送信してもよく、或いは、音声認識を用いた対話を使用者９１との間で行ってもよい。
【００１７】
スケジュール情報２２に、外出の日時が登録されているものの、外出時に利用する交通手段が登録されていないときに、確認手段１３は、交通手段を使用者９１に確認してもよい。外出時に利用する交通手段が特定できれば、車両８０の利用の有無を特定することができる。これにより、外出の日時が、使用者９１が車両８０を使用することが予定される日時であるのか、或いは、使用者９１が車両８０を使用しないことが予定される日時であるのかを特定できる。確認手段１３は、交通手段を確認するために、例えば、交通手段の問い合わせに対する回答を登録するためのウェブページへのリンクが付されている電子メールを使用者９１に送信してもよく、或いは、音声認識を用いた対話を行ってもよい。
【００１８】
第１の通知手段１４は、使用者９１が車両８０を使用することが予定される日時を示す情報を、駐車場７０の利用が可能な空き時間を示す情報として、駐車場７０の利用を希望する利用者（ユーザ）９２への駐車場７０の貸し出しを管理する駐車場管理システム３０に通知する。駐車場７０が、例えば、駐車場シェアリングの利用に供されている場合、駐車場管理システム３０は、その駐車場シェアリングの利用（例えば、駐車場７０の貸し出しのための予約の受付、変更、及び取り消しなどの管理）を管理するコンピュータシステムである。利用者９２は、情報端末５０から通信網を通じて駐車場管理システム３０に接続し、駐車場７０の貸し出しのための予約の受付、変更、及び取り消しなどを行うことができる。
【００１９】
第２の通知手段１５は、使用者９１が車両８０を使用しないことが予定される日時を示す情報を、車両８０の利用が可能な空き時間を示す情報として、車両８０の利用を希望する利用者（ユーザ）９３への車両８０の貸し出しを管理する車両管理システム４０に通知する。車両８０が、例えば、カーシェアリングの利用に供されている場合、車両管理システム４０は、そのカーシェアリングの利用（例えば、車両８０の貸し出しのための予約の受付、変更、及び取り消しなどの管理）を管理するコンピュータシステムである。利用者９３は、情報端末６０から通信網を通じて車両管理システム４０に接続し、車両８０の貸し出しのための予約の受付、変更、及び取り消しなどを行うことができる。
【００２０】
本発明の実施形態によれば、車両８０及び駐車場７０を共に使用する権限を有する使用者９１の行動予定を示すスケジュール情報２２から、使用者９１が車両８０を使用することが予定される日時及び車両８０を使用しないことが予定される日時を特定することできる。そして、使用者９１が車両８０を使用することが予定される日時を示す情報を、駐車場７０の利用が可能な空き時間を示す情報として、駐車場管理システム３０に通知し、使用者９１が車両８０を使用しないことが予定される日時を示す情報を、車両８０の利用が可能な空き時間を示す情報として、車両管理システム４０に通知することにより、車両８０の貸し出しスケジュールと駐車場７０の貸し出しスケジュールとを一元的に低コストで管理することができる。
【００２１】
上述の説明では、使用者９１が使用権限を有するリソースのうち、シェアリングの利用に供することができるリソースとして、車両８０及び駐車場７０を例示したが、これに限定されるものではなく、このようなリソースは、例えば、自転車、駐輪場、レジャー用品（例えば、バーベキュー用品）、又は、社内或いは家庭内の備品でもよい。
【００２２】
また、駐車場管理システム３０は、使用者９１が車両８０を使用することが予定される日時をスケジュール情報２２から特定するための手段（取得手段１１、特定手段１２、及び確認手段１３）の機能と同等の機能を有してもよい。同様に、車両管理システム４０は、使用者９１が車両８０を使用しないことが予定される日時をスケジュール情報２２から特定するための手段（取得手段１１、特定手段１２、及び確認手段１３）の機能と同等の機能を有してもよい。
【００２３】
以上説明した実施形態は、本発明の理解を容易にするためのものであり、本発明を限定して解釈するためのものではない。本発明は、その趣旨を逸脱することなく、変更又は改良され得るととともに、本発明には、その等価物も含まれる。
【符号の説明】
【００２４】
１０…管理システム  １１…取得手段  １２…特定手段  １３…確認手段  １４…第１の通知手段  １５…第２の通知手段  ２０…情報端末  ２１…スケジューラ  ２２…スケジュール情報  ３０…駐車場管理システム  ４０…車両管理システム  ５０…情報端末  ６０…情報端末  ７０…駐車場  ８０…車両  ９１…使用者  ９２…利用者  ９３…利用者
【図１】
2019101973.tif 000003